(57)【要約】　　　（修正有）【課題】インターネット接続機能を備えたカメラ付携帯情報端末を使用して、画像データをインターネット上で送信したり受信したり蓄積したりする手段を活用して、画像データベースを活用したビジネス方式を提供する。【解決手段】本システムは，インターネット、Ｗｅｂサーバ、自社Ｗｅｂサイト、画像データベース、請求サーバ、画像レンタル・販売サーバ、画像データ記憶装置及び画像データ出力装置を備え，ＳＣは本システムを管理所有するサービス提供業者、Ｍ１はカメラＣａ付携帯情報端末である携帯電話ＣＨｐを所有した会員、Ｍ２はインターネット接続できる携帯電話Ｈｐを所有した会員、ＭＲはインターネット接続できる情報端末としてパソコンＰＣを所有する自社ＷｅｂサイトＳ２０閲覧者であって，カメラ付携帯電話ＣＨｐ、携帯電話Ｈｐ、パソコンＰＣはプロバイダーＰｂを介してインターネットＩＮに接続されている。【選択図】　　　　図１
2004133871.tif 000002
【特許請求の範囲】
【請求項１】
インターネットに接続されたコンピュータシステムから成るＷｅｂサーバを有し、前記Ｗｅｂサーバに自社Ｗｅｂサイトや画像データベースや請求サーバを接続させたサービス提供業者がインターネット接続されたカメラ付き携帯情報端末または情報端末を有し所定の手続を経た会員や前記Ｗｅｂサイトの閲覧者などの利用者を対象にしたビジネス方式であり、前記Ｗｅｂサーバには前記利用者のカメラ付き携帯情報端末を介して生成された画像データが受信される手段を有し、前記画像データベースには前記Ｗｅｂサーバからの画像データが転送され蓄積される手段を有し、前記請求サーバには前記蓄積画像データの蓄積量及び蓄積期間に合わせて算出された所定の金額の請求金額を前記利用者に請求する手段を有し、前記自社Ｗｅｂサイトには前記ビジネス方式を前記Ｗｅｂサイトの閲覧者や前記会員に対して告知するための手段を設けたことを特徴とする、画像データベースを活用したビジネス方式。
【請求項２】
前記サービス提供業者は前記Ｗｅｂサーバに画像レンタル・販売サーバを接続させることで、前記画像レンタル・販売サーバは前記蓄積画像データの中から前記利用者が選択した画像データを蓄積する手段を有し、前記請求サーバには前記レンタル・販売選択画像データの蓄積量及び蓄積期間に合わせて所定の額の請求金額を前記利用者に請求する手段を有し、前記自社Ｗｅｂサイトには前記ビジネス方式を前記Ｗｅｂサイトの閲覧者や前記会員に対して告知するための手段を設けたことを特徴とする、請求項１に記載の画像データベースを活用したビジネス方式。
【請求項３】
前記サービス提供業者は前記Ｗｅｂサーバに画像データ記憶装置や画像データ出力装置を接続させることで、前記画像データ記憶装置は前記蓄積画像データや前記レンタル・販売選択画像データの中から前記利用者が選択した画像データを外部記憶させる手段を有し、前記画像データ出力装置は前記蓄積画像データや前記レンタル・販売選択画像データの中から前記利用者が選択した画像データを外部出力させる手段を有し、前記請求サーバには前記蓄積画像データや前記レンタル・販売選択画像データを所定量外部記憶させた分または所定量外部出力させた分に合わせて所定の額の請求金額を前記利用者に請求する手段を有し、前記自社Ｗｅｂサイトには前記ビジネス方式を前記Ｗｅｂサイトの閲覧者や前記会員に対して告知するための手段を設けたことを特徴とする、請求項１または請求項２に記載の画像データベースを活用したビジネス方式。
【請求項４】
前記Ｗｅｂサーバには、前記利用者の中で前記Ｗｅｂサイトまたは前記Ｗｅｂサーバを介して前記レンタル・販売選択画像データの中から選択した画像データの転送を希望する場合に前記利用者が所定の購入手続を行う手段を有し、また、前記Ｗｅｂサーバには、前記購入手続が終了すると前記特定画像データは前記Ｗｅｂサイトまたは前記Ｗｅｂサーバを介して前記利用者が有する前記カメラ付き携帯情報端末または情報端末に転送する手段を有し、前記請求サーバには前記画像データを転送した分に合わせて所定の額の請求金額を前記利用者に請求する手段を有することを特徴とする、請求項１から請求項３のいずれかに記載の画像データベースを活用したビジネス方式。
【請求項５】
前記Ｗｅｂサーバには、前記利用者が前記Ｗｅｂサイトまたは前記Ｗｅｂサーバを介して前記レンタル・販売選択画像データの中から選択した画像データを前記外部記憶手段という状態に変化させて購入を希望する場合に前記利用者が所定の購入手続を行う手段を有し、前記購入手続が終了すると前記選択画像データは前記画像データ記憶装置を介して前記外部記憶手段に記憶させる手段を有し、前記請求サーバには前記画像データを外部記憶した分に合わせて所定の額の請求金額を前記利用者に請求する手段を有することを特徴とする、請求項１から請求項３のいずれかに記載の画像データベースを活用したビジネス方式。
【請求項６】
前記Ｗｅｂサーバには、前記利用者が前記Ｗｅｂサイトまたは前記Ｗｅｂサーバを介して前記レンタル・販売選択画像データの中から選択した画像データの前記外部出力手段を希望する場合に前記利用者が所定の購入手続を行う手段を有し、また、前記Ｗｅｂサーバには、前記サービス提供業者によって前記購入手続が確認されると前記画像データ出力装置を作動させる手段を有し、前記請求サーバには前記画像データを外部出力した分に合わせて所定の額の請求金額を前記利用者に請求する手段を有することを特徴とする、請求項１から請求項３のいずれかに記載の画像データベースを活用したビジネス方式。
【請求項７】
前記Ｗｅｂサーバに時間データ付加手段を設けることで、前記画像データの受信時に前記時間データ付加手段で計測された日付、時刻等の受信時データが前記画像データベースに同時保存されることを特徴とする、請求項１から請求項６のいずれかに記載の画像データベースを活用したビジネス方式。
【発明の詳細な説明】
【０００１】
【発明の属する技術分野】
本発明は、インターネットに接続されたコンピュータシステムから成るＷｅｂサーバを有し、前記Ｗｅｂサーバに自社Ｗｅｂサイトや画像データベースや請求サーバや画像販売・レンタルサーバや画像データ記憶装置や画像データ出力装置を接続させたサービス提供業者がインターネット接続されたカメラ付き携帯電話装置を有し所定の手続を経て会員となった利用者を対象にしたビジネス方式である、画像データベースを活用したビジネス方式に関する。
【０００２】
【従来の技術】
近年、インターネット接続機能を備えた映像撮影用のカメラが付属している携帯情報端末が急速に普及しており、例えば、映像撮影用のカメラが付属している携帯電話や映像撮影用のカメラが付属している携帯パソコンや映像撮影用のカメラが付属しているＰＤＡやインターネット接続機能を備えたデジタルカメラやインターネット接続機能を備えたデジタルビデオカメラなどが一般的に市販されるようになってから、相当量普及していると思われる。
一例ではあるが、カメラ付き携帯電話の普及台数は、Ｊ−フォンの機種で約６３０万台（２００２年８月末時点）、ドコモの機種で約１３０万台（２００２年８月末時点）であり、合計で約７６０万台のカメラ付き携帯電話が稼動しているのである。
このことは、カメラ付き携帯電話に関して言えば単に通話やコミュニケーションを主たる目的にした道具から、どこでもいつでも画像データを生成させたり、記録したり、送信したり、受信したりできる携帯情報端末の出現を意味し、万能な用途に対応が可能な情報端末として非常に有望視されているものである。
【０００３】
また、一般的なカメラ付き携帯電話の画像データの送信方法としては、Ｊ−フォンの機種の場合では、通常の電子メールと同様に画像データをメールに添付して送信し、ドコモの機種の場合では、送信した画像データはＷｅｂサーバに置かれ、受信側がメールに書かれたＵＲＬからＷｅｂサーバに置かれた画像データにアクセスする。
【０００４】
そこで近年になって、上述した画像データを記録したり、インターネット上で画像データを送信したり、受信したりするだけでなく、カメラ付き携帯電話やカメラ付き情報端末で撮影された画像データを活用した、インターネット上での新規のサービス方法や新規のビジネス方法の開発案件が増加してきた。
【０００５】
例えば、情報の蓄積側と利用者側との双方向の画像データのやり取りを課題とし、解決手段として、Ｗｅｂサーバによる要求に応じてＤＢに蓄積する情報を返信するＤＢサーバをＷｅｂサーバへ接続し、Ｗｅｂサーバは携帯電話機からの画像データの検索要求に応じてＤＢサーバへ画像データの検索要求を行い、ＤＢサーバは画像データの検索要求に基づいてＤＢを照会しその結果をＷｅｂサーバへ返信し、Ｗｅｂサーバは返信された画像データを携帯電話機に転送し、携帯電話機は転送された画像データを表示するとともに、Ｗｅｂサーバは携帯電話機からの画像データの登録要求に応じて携帯電話機からの画像データを携えてＤＢサーバへ登録要求を行い、ＤＢサーバは登録要求に基づいてＷｅｂサーバより転送された画像データをＤＢへ登録する、情報管理システムおよび情報管理方法の開発案件がある。（特開２００２−２０２９９５号公報を参照する）
【０００６】
【発明が解決しようとする課題】
ところが、カメラ付き携帯電話が急速に普及するにつれて、もっと自由に好きなだけ静止画や動画を撮りたいという要求が出てきたが、カメラ付き携帯電話の記憶容量では充分に上述した欲求に応えられないという指摘がされるようになってきた。また、相当量な静止画や動画を管理するのは大変であるという声も増えてきた。また、せっかく撮影した静止画や動画をもっとビジネスに活用できないものかという提案もされるようになってきた。
そこで、上述した画像データを記録したり、インターネット上で画像データを送信したり、受信したりするだけでなく、カメラ付き携帯電話やカメラ付き情報端末で撮影された画像データを活用した、インターネット上での新規のサービス方法や新規のビジネス方法の開発案件が増加してきた。
【０００７】
また、例えば、特開２００２−２０２９９５号公報の情報管理システムおよび情報管理方法の開発案件では、Ｗｅｂサーバによる要求に応じてＤＢに蓄積する情報を返信するＤＢサーバをＷｅｂサーバへ接続し、Ｗｅｂサーバは携帯電話機からの画像データの検索要求に応じてＤＢサーバへ画像データの検索要求を行い、ＤＢサーバは画像データの検索要求に基づいてＤＢを照会しその結果をＷｅｂサーバへ返信し、Ｗｅｂサーバは返信された画像データを携帯電話機に転送し、携帯電話機は転送された画像データを表示するとともに、Ｗｅｂサーバは携帯電話機からの画像データの登録要求に応じて携帯電話機からの画像データを携えてＤＢサーバへ登録要求を行い、ＤＢサーバは登録要求に基づいてＷｅｂサーバより転送された画像データをＤＢへ登録することを特徴とするが、携帯電話機を用いての画像データのやり取りをする分にはよいが、何か新しいビジネス方式に応用するためにはもう少し付加価値的なサービスが必要であると指摘されている。
【０００８】
そこで本発明は上述した問題点を解決するためになされたものであり、その目的とするところは、市販のインターネット接続機能を備えたカメラ付き携帯情報端末を使用して、生成された画像データをインターネット上で送信したり受信したり蓄積したりする手段を活用して、インターネット上で新規なビジネスを立ち上げることを可能にする、画像データベースを活用したビジネス方式を提供することにある。
【０００９】
【課題を解決するための手段】
課題を解決するための第一の手段として、インターネットに接続されたコンピュータシステムから成るＷｅｂサーバを有し、前記Ｗｅｂサーバに自社Ｗｅｂサイトや画像データベースや請求サーバを接続させたサービス提供業者がインターネット接続されたカメラ付き携帯情報端末または情報端末を有し所定の手続を経た会員や前記Ｗｅｂサイトの閲覧者などの利用者を対象にしたビジネス方式であり、前記Ｗｅｂサーバには前記利用者のカメラ付き携帯情報端末を介して生成された画像データが受信される手段を有し、前記画像データベースには前記Ｗｅｂサーバからの画像データが転送され蓄積される手段を有し、前記請求サーバには前記蓄積画像データの蓄積量及び蓄積期間に合わせて算出された所定の金額の請求金額を前記利用者に請求する手段を有し、前記自社Ｗｅｂサイトには前記ビジネス方式を前記Ｗｅｂサイトの閲覧者や前記会員に対して告知するための手段を設けたことを特徴とする、画像データベースを活用したビジネス方式を提供することにある。
【００１０】
前記Ｗｅｂサイトに関しては、前記利用者がインターネット内でコンテンツ（情報の内容）を発信したり受信したりするインターネットに接続されたコンピュータシステムの中の場所や位置のことである。
前記Ｗｅｂサーバに関しては、ＷＷＷ（Ｗｏｒｌｄ　Ｗｉｄｅ　Ｗｅｂ）サーバとも呼ばれ、前記Ｗｅｂサイトが格納され、コンピュータシステムを介した各種サービスを提供すると共に、本発明では前記画像データベースや前記請求サーバを管理または制御する手段を備える。
前記画像データベースに関しては、前記Ｗｅｂサーバによる要求に応じて画像データを転送し蓄積する手段を備え、前記利用者の指示により前記カメラ付き携帯情報端末または情報端末に前記画像データを転送する手段によって構成され、また、前記画像データベースには、Ｗｅｂページ本体となるＨＴＭＬ（Ｈｙｐｅｒ−ＴｅｘｔＭａｒｋｕｐ　Ｌａｎｇｕａｇｅ）形式などで構成された文書データと、その文書データ中に設定されているハイパーリンクによって指定される画像データが格納されている。そして、ＷｅｂサーバはＵＲＬ（Ｕｎｉｆｏｒｍ　Ｒｅｓｏｕｒｃｅ　Ｌｏｃａｔｏｒ）を指定してアクセスしてきた前記携帯情報端末または情報端末に該当の画像データを送付する手段を備える。
前記請求サーバに関しては、前記Ｗｅｂサーバによる要求に応じて、前記利用者に所定の請求手段を実行する手段を備える。
前記カメラ付き携帯情報端末に関しては、映像撮影用のカメラが付属している携帯電話もしくはＰＨＳもしくは携帯情報機器である。前記携帯電話は、映像撮影用のカメラが付属しているインターネットへのアクセスが可能なモバイル用情報処理装置でもよい。前記携帯電話は、簡単な操作を行うだけで、あらかじめ登録してある電話番号またはＵＲＬに発信を行い、同時に付属しているカメラを動作させ、そこから得られる画像データを送信する機能を有する。
前記カメラ付き携帯情報端末に関しては、デジタルカメラやデジタルビデオカメラに携帯電話もしくはＰＨＳが接続でき、インターネットへのアクセスを可能にしたタイプでもよく、また、ブラウザーを備えたデジタルカメラやデジタルビデオカメラにインターネットへのアクセス手段を設けたタイプでもよい。
前記情報端末に関しては、一般的にはパソコンやＰＤＡなどを指すが、インターネット接続機能とＣＰＵと表示機能を搭載した装置であれば何を用いても構わない。
前記所定の手続に関しては、例えば前記Ｗｅｂサイトを介した入会案内のフォーマットに入力させる手段や、例えば前記Ｗｅｂサーバに前記会員希望者に入会案内フォーマットを出力する手段と前記出力フォーマットを送付し返信を受付け登録する手段などから選択して用いればよい。
前記画像データに関しては、静止画、動画、静止画と動画の組合わせ、静止画と音声データの組合わせ、動画と音声データの組合わせ、静止画と動画の組合わせと音声データの組合わせなどを用いるのが可能である。
前記告知するための手段に関しては、前記利用者に前記ビジネス方式を認知させたりビジネス欲求を生じさせるようにしたコンテンツを文書データ、画像データ、音声データまたはこれらの組合わせを用いて表現する。
【００１１】
課題を解決するための第二の手段として、前記サービス提供業者は前記Ｗｅｂサーバに画像レンタル・販売サーバを接続させることで、前記画像レンタル・販売サーバは前記蓄積画像データの中から前記利用者が選択した画像データを蓄積する手段を有し、前記請求サーバには前記レンタル・販売選択画像データの蓄積量及び蓄積期間に合わせて所定の額の請求金額を前記利用者に請求する手段を有し、前記自社Ｗｅｂサイトには前記ビジネス方式を前記Ｗｅｂサイトの閲覧者や前記会員に対して告知するための手段を設けたことを特徴とする、課題を解決するための第一の手段に記載の画像データベースを活用したビジネス方式を提供することにある。
【００１２】
前記Ｗｅｂサイトに関しては、上述した内容に準ずる。
前記Ｗｅｂサーバに関しては、ＷＷＷ（Ｗｏｒｌｄ　Ｗｉｄｅ　Ｗｅｂ）サーバとも呼ばれ、前記Ｗｅｂサイトが格納され、コンピュータシステムを介した各種サービスを提供すると共に、本発明では前記画像データベースや前記請求サーバや前記画像レンタル・販売サーバを管理または制御する手段を備える。
前記画像レンタル・販売サーバに関しては、前記画像データベースに格納されている前記利用者が所有権を有する前記蓄積画像データの中から前記利用者がレンタルサービスや販売サービスを実施する画像データに選択すると、前記蓄積画像データの中から前記レンタル・販売選択画像データを前記画像データベースから前記画像レンタル・販売サーバに転送させる手段を備える。
前記蓄積画像データに関しては、前記画像データの記述に準じ、前記利用者の脳内の思考プロセスを経て選択された前記画像データの集合体である。
前記請求サーバに関しては、前記Ｗｅｂサーバまたは前記画像レンタル・販売サーバによる要求に応じて、前記レンタル・販売選択画像データの蓄積量及び蓄積期間に合わせて前記利用者に所定の請求手段を実行する手段を備える。
前記告知するための手段に関しては、上述した内容に準ずる。
【００１３】
課題を解決するための第三の手段として、前記サービス提供業者は前記Ｗｅｂサーバに画像データ記憶装置や画像データ出力装置を接続させることで、前記画像データ記憶装置は前記蓄積画像データや前記レンタル・販売選択画像データの中から前記利用者が選択した画像データを外部記憶させる手段を有し、前記画像データ出力装置は前記蓄積画像データや前記レンタル・販売選択画像データの中から前記利用者が選択した画像データを外部出力させる手段を有し、前記請求サーバには前記蓄積画像データや前記レンタル・販売選択画像データを所定量外部記憶させた分または所定量外部出力させた分に合わせて所定の額の請求金額を前記利用者に請求する手段を有し、前記自社Ｗｅｂサイトには前記ビジネス方式を前記Ｗｅｂサイトの閲覧者や前記会員に対して告知するための手段を設けたことを特徴とする、課題を解決するための第一の手段または課題を解決するための第二の手段に記載の画像データベースを活用したビジネス方式を提供する。
【００１４】
前記Ｗｅｂサーバに関しては、ＷＷＷ（Ｗｏｒｌｄ　Ｗｉｄｅ　Ｗｅｂ）サーバとも呼ばれ、前記Ｗｅｂサイトが格納され、コンピュータシステムを介した各種サービスを提供すると共に、本発明では前記画像データベースや前記請求サーバや前記画像レンタル・販売サーバや前記画像データ記憶装置や前記画像データ出力装置を管理または制御する手段を備える。
前記画像データ記憶装置に関しては、前記手段を実行させることで、前記Ｗｅｂサーバからの要求により、前記蓄積画像データや前記レンタル・販売選択画像データの中から前記利用者が選択した画像データを外部記憶手段に記憶させる。
前記画像データ出力装置に関しては、前記手段を実行させることで、前記Ｗｅｂサーバからの要求により、前記蓄積画像データや前記レンタル・販売選択画像データの中から前記利用者が選択した画像データを外部出力手段により外部出力させる。
前記請求サーバに関しては、前記Ｗｅｂサーバによる要求に応じて、前記蓄積画像データや前記レンタル・販売選択画像データを所定量外部記憶させた分または所定量外部出力させた分に合わせて前記利用者に所定の請求手段を実行する手段を備える。
前記自社Ｗｅｂサイトまたは前記Ｗｅｂサイトに関しては、上述した内容に準ずる。
前記告知するための手段に関しては、上述した内容に準ずる。
【００１５】
課題を解決するための第四の手段として、前記Ｗｅｂサーバには、前記利用者の中で前記Ｗｅｂサイトまたは前記Ｗｅｂサーバを介して前記レンタル・販売選択画像データの中から選択した画像データの転送を希望する場合に前記利用者が所定の購入手続を行う手段を有し、また、前記Ｗｅｂサーバには、前記購入手続が終了すると前記特定画像データは前記Ｗｅｂサイトまたは前記Ｗｅｂサーバを介して前記利用者が有する前記カメラ付き携帯情報端末または情報端末に転送する手段を有し、前記請求サーバには前記画像データを転送した分に合わせて所定の額の請求金額を前記利用者に請求する手段を有することを特徴とする、課題を解決するための第一の手段から課題を解決するための第三の手段のいずれかに記載の画像データベースを活用したビジネス方式を提供する。
【００１６】
前記Ｗｅｂサーバに関しては、上述した内容に準ずる。
前記Ｗｅｂサイトに関しては、上述した内容に準ずる。
前記利用者が所定の購入手続を行う手段に関しては、例えば前記Ｗｅｂサイトを介して、前記購入手続のフォーマットに入力させる手段や、例えば前記Ｗｅｂサーバに前記購入手続希望者に購入手続フォーマットを出力する手段と前記出力フォーマットを前記利用者に送付し返信を受付け登録する手段などから選択して用いればよい。
前記Ｗｅｂサーバにより、前記特定画像データを前記カメラ付き携帯情報端末または情報端末に転送する手段に関しては、一般的な公知の技術が知られているので、それを用いればよい。
前記請求サーバにより前記画像データを転送した分に合わせて所定の額の請求金額を前記利用者に請求する手段に関しては、一般的な公知の技術が知られているので、それを用いればよい。
【００１７】
課題を解決するための第五の手段として、前記Ｗｅｂサーバには、前記利用者が前記Ｗｅｂサイトまたは前記Ｗｅｂサーバを介して前記レンタル・販売選択画像データの中から選択した画像データを前記外部記憶手段という状態に変化させて購入希望する場合に前記利用者が所定の購入手続を行う手段を有し、前記購入手続が終了すると前記選択画像データは前記画像データ記憶装置を介して前記外部記憶手段に記憶させる手段を有し、前記請求サーバには前記画像データを外部記憶した分に合わせて所定の額の請求金額を前記利用者に請求する手段を有することを特徴とする、課題を解決するための第一の手段から課題を解決するための第三の手段のいずれかに記載の画像データベースを活用したビジネス方式を提供する。
【００１８】
前記Ｗｅｂサーバに関しては、上述した内容に準ずる。
前記Ｗｅｂサイトに関しては、上述した内容に準ずる。
前記画像データに関しては、上述した内容に準ずる。
前記レンタル・販売選択画像データに関しては、上述した内容に準ずる。
前記画像データを前記外部記憶手段という状態に変化させて購入を希望する場合に前記利用者が所定の購入手続を行う手段に関しては、例えば前記Ｗｅｂサイトまたは前記Ｗｅｂサーバを介して、前記購入手続のフォーマットに入力させる手段や、例えば前記Ｗｅｂサイトまたは前記Ｗｅｂサーバに前記購入手続希望者に購入手続フォーマットを出力する手段と前記出力フォーマットを前記利用者に送付し返信を受付け登録する手段などから選択して用いればよい。
前記外部記憶手段に関しては、ＩＣチップやメモリーチップやＩＣカードや磁気カードや磁気テープやフロッピーディスク（ＦＤ）やコンパクトディスク（ＣＤ）やＤＶＤなどから選択して用いればよい。
前記画像データ記憶装置に関しては、ＩＣチップ記録装置やメモリーチップ記録装置やＩＣカード記録装置や磁気カード記録装置や磁気テープ記録装置やフロッピーディスク（ＦＤ）記録装置やコンパクトディスク（ＣＤ）記録装置やＤＶＤ記録装置などから選択して用いればよい。
前記請求サーバに関しては、前記Ｗｅｂサーバによる要求に応じて、前記レンタル・販売選択画像データを所定量外部記憶手段に記憶させた分に合わせて前記利用者に所定の請求手段を実行する手段を備える。
【００１９】
課題を解決するための第六の手段として、前記Ｗｅｂサーバには、前記利用者が前記Ｗｅｂサイトまたは前記Ｗｅｂサーバを介して前記レンタル・販売選択画像データの中から選択した画像データの前記外部出力手段を希望する場合に前記利用者が所定の購入手続を行う手段を有し、また、前記Ｗｅｂサーバには、前記サービス提供業者によって前記購入手続が確認されると前記画像データ出力装置を作動させる手段を有し、前記請求サーバには前記画像データを外部出力した分に合わせて所定の額の請求金額を前記利用者に請求する手段を有することを特徴とする、課題を解決するための第一の手段から課題を解決するための第三の手段のいずれかに記載の画像データベースを活用したビジネス方式を提供する。
【００２０】
前記Ｗｅｂサーバに関しては、上述した内容に準ずる。
前記Ｗｅｂサイトに関しては、上述した内容に準ずる。
前記画像データに関しては、上述した内容に準ずる。
前記レンタル・販売選択画像データに関しては、上述した内容に準ずる。
前記画像データを外部出力手段に関しては、画像データをシート状体に出力することで、前記シート状体の一面または両面に画像が表現されるが、単色または二原色または三原色または四原色または多原色で表現される。また、前記シート状体の材質に関しては、紙類や木質やプラスチックや金属やセラミックやガラスや合成ゴムや天然ゴムなどから選択して用いればよい。また、前記シート状体の一面又は両面に粘着または接着性物質を設けたタイプや、前記シート状体と粘着または接着性物質と前記シート状体の三層構造のタイプでもよい。
前記画像データ出力装置に関しては、インクジェットプリンターやレーザープリンターやドットプリンターや写真現像装置やデジタルコピー装置やデジタルプリンターやファクシミリ装置などから選択して用いればよい。
前記画像データを前記外部出力手段という状態に変化させて購入を希望する場合に前記利用者が所定の購入手続を行う手段に関しては、例えば前記Ｗｅｂサイトまたは前記Ｗｅｂサーバを介して、前記購入手続のフォーマットに入力させる手段や、例えば前記Ｗｅｂサイトまたは前記Ｗｅｂサーバに前記購入手続希望者に購入手続フォーマットを出力する手段と前記出力フォーマットを前記利用者に送付し返信を受付け登録する手段などから選択して用いればよい。
前記Ｗｅｂサーバの機能により前記画像データ出力装置を作動させる手段に関しては、一般的な公知の技術が知られているので、それを用いればよいが、前記手段を実行させることで、前記Ｗｅｂサーバからの要求により、前記蓄積画像データや前記レンタル・販売選択画像データの中から前記利用者が選択した画像データを外部出力させる。
前記請求サーバに関しては、前記Ｗｅｂサーバによる要求に応じて、前記レンタル・販売選択画像データを所定量前記画像データ出力装置により外部出力させた分に合わせて前記利用者に所定の請求手段を実行する手段を備える。
【００２１】
課題を解決するための第七の手段として、前記Ｗｅｂサーバに時間データ付加手段を設けることで、前記画像データの受信時に前記時間データ付加手段で計測された日付、時刻等の受信時データが前記画像データベースに同時保存されることを特徴とする、課題を解決するための第一の手段から課題を解決するための第六の手段のいずれかに記載の画像データベースを活用したビジネス方式を提供することにあるが、前記Ｗｅｂサーバや前記画像データや前記画像データベースに関しては、上述した内容に準ずる。
前記時間データ付加手段に関しては、受信された前記画像データを保存するとともに、それらデータ受信時に日付、時刻管理装置を用いて計測された日付、時刻等の受信時データが同時保存されるようになっていればどんな手段を用いても構わないが、前記日付、時刻管理装置に関しては、一般的に市販されているタイプを用いればよい。
前記時間データ付加手段によって、各々の前記カメラ付き携帯情報端末から送信されてくるばらつきがちな受信時データを使用する場合に比して、情報管理装置側で統一されたばらつきのない受信時データを得ることができる。また、前記日付・時刻等のデータに、各国の標準時刻を使用するようにすれば、各種公的証拠として利用可能である。
【００２２】
【発明の実施の形態】
図１は本発明の画像データベースを活用したビジネス方式の概念図である。
図１に示すように、ＩＮはインターネットであり、Ｗ１０はインターネットＩＮに接続されたコンピュータシステムから成るＷｅｂサーバであり各種機能を有する手段を備え、Ｓ２０はＷｅｂサーバＷ１０の中に設けられた自社Ｗｅｂサイトであり各種機能を有する手段を備え、Ｄ３０はＷｅｂサーバＷ１０に接続された画像データベースであり各種機能を有する手段を備え、Ｂ４０はＷｅｂサーバＷ１０に接続された請求サーバであり各種機能を有する手段を備え、Ｒ５０はＷｅｂサーバＷ１０に接続された画像レンタル・販売サーバであり各種機能を有する手段を備え、ＭｅはＷｅｂサーバＷ１０に制御される画像データ記憶装置であり、ＰｒはＷｅｂサーバＷ１０に制御される画像データ出力装置であり、ＳＣは本システムを管理または所有するサービス提供業者であり、Ｍ１はカメラＣａが付随した携帯情報端末である携帯電話ＣＨｐを所有し所定の手続きを経た会員であり、Ｍ２はインターネット接続できる携帯電話Ｈｐを所有し所定の手続きを経た会員であり、ＭＲはインターネット接続できる情報端末としてパソコンＰＣを所有する自社ＷｅｂサイトＳ２０の閲覧者であり、カメラ付き携帯電話ＣＨｐや携帯電話ＨｐやパソコンＰＣはプロバイダーＰｂを介してインターネットＩＮに接続されている。本発明は以上のシステムから構成されている。
【００２３】
まず、前記利用者は、例えば会員Ｍ１や会員Ｍ２は、本ビジネス方式の参加に当たっては、事前に会員登録を行い、支払方法（クレジット、電話料金上乗せ、プリペイド方式、金融機関振込み方式など）を決定しておく。
会員データに関しては、会員Ｍ１や会員Ｍ２ごとにＩＤやパスワード、および居住地や年齢・性別などの個人情報を会員データとして管理するが、新たに会員データベースを設けて管理してもよいし、本発明で用いるデータベース内かサーバ内に格納して管理することも可能である。
【００２４】
図１に示す画像データベースを活用したビジネス方式における、ＷｅｂサーバＷ１０の役割や機能を説明すると、自社ＷｅｂサイトＳ２０を管理し制御する手段Ｗ１１を備え、画像データベースＤ３０を管理し制御する手段Ｗ１２を備え、請求サーバＢ４０を管理し制御する手段Ｗ１３を備え、画像レンタル・販売サーバＲ５０を管理し制御する手段Ｗ１４を備え、画像データ記憶装置Ｍｅを管理し制御する手段Ｗ１５を備え、管理制御手段Ｗ１５を実行させると、会員Ｍ１や会員Ｍ２の要求により、要求された画像データは外部記憶され、画像データ出力装置Ｐｒを管理し制御する手段Ｗ１６を備え、管理制御手段Ｗ１６を実行させると会員Ｍ１や会員Ｍ２の要求により要求された画像データは外部出力され、カメラ付き携帯電話ＣＨｐからの画像データが受信される手段Ｗ１７を備え、本発明のビジネス方式のサービス購入手続希望者に購入手続フォーマットを出力する手段Ｗ１８を備え、出力手段Ｗ１８による出力フォーマットを前記利用者に送付し返信を受付け購入登録する手段Ｗ１９を備え、受信手段Ｗ１７の実行時に計測された日付、時刻等の受信時データが画像データに付加され画像データベースＤ３０に同時保存する時間データ付加手段Ｗ２０を備えるが、上述したＷｅｂサーバＷ１０の役割や機能に関してはコントロールサーバを設けてこれらの役割や機能の一部または全ての中から選択して代行させてもよい。
【００２５】
図１に示す画像データベースを活用したビジネス方式における、画像データベースＤ３０の役割や機能を説明すると、ＷｅｂサーバＷ１０から画像データが転送される手段Ｄ３１を備え、画像データ転送手段Ｄ３１により転送された画像データは画像データ蓄積手段Ｄ３２により画像データベースＤ３０の内部に公知の検索手段を付加され画像データが蓄積されていく、また、閲覧者ＭＲや会員Ｍ１や会員Ｍ２の操作によりカメラ付き携帯電話ＣＨｐまたは携帯電話ＨｐまたはパソコンＰＣに画像データをＷｅｂサーバＷ１０を介して転送する手段３３を備えるが、ＷｅｂサーバＷ１０または画像レンタル・販売サーバＲ５０にこれらの役割や機能の一部または全ての中から選択して代行させるのも可能である。
また、画像データベースＤ３０の機能に画像データの加工機能や編集機能やテキスト文章の付加機能や複数の検索手段などの公知の技術を追加することも可能である。
【００２６】
図１に示す画像データベースを活用したビジネス方式における、請求サーバＢ４０の役割や機能を説明すると、画像データ蓄積手段Ｄ３２による蓄積画像データの蓄積量及び蓄積期間に合わせて算出される算出手段Ｂ４１を備え、算出手段Ｂ４１に関しては本発明で発生するサービス全体に係わる請求金額を計算する手段を有し、算出手段Ｂ４１により所定の金額の請求金額を前記利用者に請求する請求手段Ｂ４２を備え、画像データ蓄積手段Ｒ５２による画像データの蓄積量及び蓄積期間に合わせて算出手段Ｂ４１による請求金額を前記利用者に請求する手段Ｂ４３を備え、ＷｅｂサーバＷ１０による要求に応じて、画像データ記憶装置Ｍｅを作動させた分または画像データを所定量外部記憶させた分に合わせて前記利用者に算出手段Ｂ４１による請求する手段Ｂ４４を備え、画像データ出力装置Ｐｒを作動させた分または画像データを所定量外部出力させた分に合わせて前記利用者に算出手段Ｂ４１による請求する手段Ｂ４５を備え、画像データ転送手段Ｒ５３により転送した画像データ分に合わせて算出手段Ｂ４１による請求金額を会員Ｍ１や会員Ｍ２に請求する手段Ｂ４６を備えるが、ＷｅｂサーバＷ１０にこれらの役割や機能の一部または全ての中から選択して代行させるのも可能である。
【００２７】
図１に示す画像データベースを活用したビジネス方式における、ＷｅｂサイトＳ２０の役割や機能を説明すると、本発明の画像データベースを活用したビジネス方式をＷｅｂサイトＳ２０の閲覧者ＭＲや会員Ｍ１や会員Ｍ２に対して告知するための広告手段Ｓ２１を備え、閲覧者ＭＲが会員Ｍ１や会員Ｍ２になるための会員申込手段Ｓ２２を備え、会員Ｍ１や会員Ｍ２が前記画像データを送信したり受信したりするためのサービス実行手段Ｓ２３を備え、本発明のビジネス方式に関してのサービス購入手続のフォーマットに入力させる手段Ｓ２４を備える。
【００２８】
図１に示す画像データベースを活用したビジネス方式における、画像レンタル・販売サーバＲ５０の役割や機能を説明すると、画像データ蓄積手段Ｄ３２による蓄積画像データの中から会員Ｍ１が自己に所有権を有しレンタルや販売を希望する画像データを選択すると画像データベースＤ３０から販売希望の画像データを転送する手段Ｒ５１を備え、画像データ転送手段Ｒ５１による画像データを蓄積する手段Ｒ５２を備え、画像データ蓄積手段Ｒ５２により販売希望の画像データは蓄積され、この画像データの購入を希望し購入登録手段Ｗ１９を終えた会員Ｍ１や会員Ｍ２のカメラ付き携帯電話ＣＨｐや携帯電話ＨｐやパソコンＰＣにＷｅｂサーバＷ１０を介して転送する手段Ｒ５３を備える。
また、ＷｅｂサーバＷ１０または画像データベースＤ３０にこれらの役割や機能の一部または全ての中から選択して代行させるのも可能である。さらに、画像レンタル・販売サーバＲ５０の内部に画像データベースの機能を設けたり、画像レンタル・販売サーバＲ５０の外部に画像データベースの機能を設けたりすることも可能であり、また、画像レンタル・販売サーバＲ５０または画像データベースの機能に画像データの加工機能や編集機能やテキスト文章の付加機能や複数の検索手段などの公知の技術を追加することも可能である。
【００２９】
図１に示す画像データベースを活用したビジネス方式における、画像データ記憶装置Ｍｅや画像データ出力装置Ｐｒの役割や機能を説明すると、画像データ記憶装置Ｍｅには管理・制御手段Ｗ１５により画像データを外部記憶させる手段Ｍｅ１を備え、画像データ出力装置Ｐｒには管理・制御手段Ｗ１６により画像データを外部出力させる手段Ｐｒ１を備える。
【００３０】
なお、本発明の実施の形態例では、ＷｅｂサーバＷ１０を介して会員ＩＤやパスワードの入力など所定の認証手段を画像データに付加する手段を実行した画像データを画像データベースＤ３０や画像レンタル・販売サーバＲ５０に送付する旨の操作を行うと、ＷｅｂサーバＷ１０を介して画像データに適宜な画像ＩＤを付与して、画像データの検索手段や画像データの不正使用に対する安全対策に用いてもよい。
また、本発明の実施の形態例では同じ画像データを材料にして生成された複数の画像データを識別するために、公知の技術や装置や手段によって共通の画像ＩＤや画像コードを設けてもよい。
【００３１】
会員Ｍ１や会員Ｍ２がカメラ付き携帯電話ＣＨｐや携帯電話Ｈｐを用いて、画像レンタル・販売サーバＲ５０の画像データを閲覧するまでの手順説明すると、会員Ｍ１や会員Ｍ２がＷｅｂサイトＳ２０またはＷｅｂサーバＷ１０を介して画像レンタル・販売サーバＲ５０のＵＲＬを指定してアクセスすると、ＷｅｂサイトＳ２０またはＷｅｂサーバＷ１０または画像レンタル・販売サーバＲ５０の内部に設けた会員認証手段（図示せず）により、会員Ｍ１や会員Ｍ２の所定の認証手続きを行った後、画像転送要求や画像閲覧要求を受け付けるためのＷｅｂページをカメラ付き携帯電話ＣＨｐや携帯電話Ｈｐに送付する。ここではカメラ付き携帯電話ＣＨｐや携帯電話Ｈｐにて画像閲覧要求をする旨の指示がなされたものとする。
画像レンタル・販売サーバＲ５０はこの画像閲覧要求に対して画像レンタル・販売サーバＲ５０に格納されている画像データの画像ＩＤや、カメラ付き携帯電話ＣＨｐや携帯電話Ｈｐからの転送要求によって格納されている画像データを一覧表示するＷｅｂサイトＳ２０のＷｅｂページ（図示せず）をカメラ付き携帯電話ＣＨｐや携帯電話Ｈｐに送付する。なお、送付された画像データの画像ＩＤに加え、送付日時なども記録される手段も備える。
そして、会員Ｍ１や会員Ｍ２のカメラ付き携帯電話ＣＨｐや携帯電話Ｈｐに表示された画像ＩＤまたは画像データの一覧表示から、会員Ｍ１や会員Ｍ２のレンタルまたは購入を希望する画像データがあった場合には、会員Ｍ１や会員Ｍ２は画像ＩＤまたは指定画像を指示すると、画像レンタル・販売サーバＲ５０は格納されている該当の画像データをカメラ付き携帯電話ＣＨｐや携帯電話Ｈｐに送付する。
それによって、カメラ付き携帯電話ＣＨｐや携帯電話Ｈｐのブラウザがこの画像データを表示し、会員Ｍ１や会員Ｍ２は画像レンタル・販売サーバＲ５０の画像を閲覧することができるのである。
【００３２】
上記実施の形態例では、画像データを縮小させ縮小画像データとしてＪＰＥＧ形式のフルカラーデータを複数用意していたが、ＧＩＦ形式などのマルチカラーデータやモノクロの画像データを用意することとしてもよいし、３種以上のデータ形式の画像データを用意することとしてもよい。もちろん、携帯電話の機種によっては、この縮小画像データを無変換で送付できる場合もある。
また、本実施の形態例においては、ＷｅｂサーバＷ１０への接続を携帯電話によって行う構成について説明したが、インターネットへ接続される通常のＰＣによってＷｅｂサーバＷ１０へ接続することも可能である。このとき、このＰＣによりＷｅｂサーバＷ１０を介して画像レンタル・販売サーバＲ５０との情報をやり取りを行うことによって、画像レンタル・販売サーバＲ５０に蓄積された画像データの検索等を行うことが可能である。
【００３３】
【発明の効果】
本発明の画像データベースを活用したビジネス方式が提供できることで、前記サービス提供業者は本発明によって下記のようなビジネス上の効果を得ることができ、前記利用者は下記の効果的なサービスを得ることができる。
【００３４】
前記利用者は、例えば前記カメラ付き携帯情報端末が前記カメラ付き携帯電話である場合には、電波の届く範囲内でという条件ではあるが、いつでも、どこでも、自由に、相当数の前記画像データをインターネットを経由して前記Ｗｅｂサーバを介して、比較的経済的に気軽に、送信、蓄積、受信できる。
【００３５】
前記サービス提供業者や前記利用者は、前記カメラ付き携帯情報端末を、リアルタイム性に富み、大量な画像データを扱う強力な情報収集装置として用いることで、新たな情報ビジネスの展開が可能になる。
【００３６】
前記利用者は、インターネットを経由する本発明を利用することで、リアルタイム性に富む、大量な画像データの送信、蓄積、受信を低コストで運用することが可能になる。
【００３７】
前記サービス提供業者は、インターネットを経由する本発明を利用することで、リアルタイム性に富む、大量な画像データの送信、蓄積、受信を低コストで運用するビジネスを比較的低コストで始めることが可能になる。
【００３８】
前記サービス提供業者は、本発明を利用することで、前記カメラ付き携帯情報端末からの画像データを前記画像データベースに有料で蓄積されるため、本発明のビジネス方式で売上や収益を上げることが可能になる。
【００３９】
前記画像レンタル・販売サーバ及び前記Ｗｅｂサイトにより、前記利用者は自己所有の画像データを、ただ保存するだけでなく、インターネットを介しての画像データのレンタルや販売というビジネスに参加することができ、本発明のビジネス方式で売上や収益を上げることが可能になる。
【００４０】
前記サービス提供業者は、前記利用者に本発明のビジネス方式を提供することで前記利用者に売上や収益を上げさせることで、前記利用者を増加させることができ、その結果、本発明の画像データベースを活用したビジネス方式によって売上や収益を増大させることが可能になる。
【００４１】
前記利用者は、本発明により前記携帯電話や情報端末を、Ｔ・Ｐ・Ｏに係わらず、大量な画像データを扱う強力な画像データ販売装置として用いることが可能になる。
【００４２】
前記サービス提供業者は、本発明によって、前記利用者の前記レンタル・販売選択画像データの蓄積量及び蓄積期間に合わせて、前記利用者から所定の料金または手数料を受け取ることができ、その結果、前記サービス提供業者は、本発明の画像データベースを活用したビジネス方式によって売上や収益を増大させることが可能になる。所定の額の売上及び利益を得ることが可能になる。
【００４３】
前記利用者は、前記携帯情報端末さえあれば、パソコンや外部記憶装置などの情報処理装置を所有していなくても、安価で気軽に大量の画像データをＦＤやＣＤやＤＶＤや磁気テープや磁気カードなどの形態で保存できることで、経済的なメリットを受けることができる。
【００４４】
前記利用者は、前記携帯情報端末さえあれば、パソコンやプリンターやＦＡＸやデジタルコピー装置などの情報処理装置を所有していなくても、安価で気軽に大量の画像データを紙などの前記シート状体の形態で保存できることで、経済的なメリットを受けることができる。
【００４５】
前記サービス提供業者は、本発明によって、インターネットを介しての前記利用者に前記画像データ記憶装置を使用させることにより、前記利用者から所定の料金または手数料を受け取ることができ、その結果、前記サービス提供業者は、本発明の画像データベースを活用したビジネス方式によって売上や収益を増大させることが可能になる。
【００４６】
前記サービス提供業者は、本発明によって、インターネットを介しての前記利用者に前記画像データ出力装置を使用させることにより、前記利用者から所定の料金または手数料を受け取ることができ、その結果、前記サービス提供業者は、本発明の画像データベースを活用したビジネス方式によって売上や収益を増大させることが可能になる。
【００４７】
前記サービス提供業者は、前記利用者にインターネットを介して前記画像データ記憶装置や前記画像データ出力装置を提供することで前記利用者に便利を売ることで、前記利用者を増加させることができ、その結果、前記サービス提供業者は、本発明の画像データベースを活用したビジネス方式によって売上や収益を増大させることが可能になる。
【００４８】
本発明の画像データベースを活用したビジネス方式によって、前記利用者の中で画像データのレンタルや販売を希望する者は、他の前記利用者の中で画像データのレンタルや購入希望者が生じた場合、所定の料金を受け取ることができ、前記サービス提供業者は、レンタルや販売を希望する前記利用者に画像データを転送することで、レンタルや販売を行なった前記利用者から所定の料金または手数料を受け取ることができ、その結果、前記サービス提供業者は、本発明の画像データベースを活用したビジネス方式によって売上や収益を増大させることが可能になる。
【００４９】
本発明の画像データベースを活用したビジネス方式によって、前記利用者の中で画像データの前記外部記憶手段としての形態でレンタルや販売を希望する者は、他の前記利用者の中で画像データの外部記憶手段としての形態でレンタルや購入希望者が生じた場合、所定の料金を受け取ることができ、前記サービス提供業者は、レンタルや販売を希望する前記利用者に画像データの外部記憶手段としての形態で送付することで、前記外部記憶手段を受け取った前記利用者から所定の料金または手数料を受け取ることができ、その結果、前記サービス提供業者は、本発明の画像データベースを活用したビジネス方式によって売上や収益を増大させることが可能になる。
【００５０】
本発明の画像データベースを活用したビジネス方式によって、前記利用者の中で画像データの前記外部出力手段としての形態でレンタルや販売を希望する者は、他の前記利用者の中で画像データの外部出力手段としての形態でレンタルや購入希望者が生じた場合、所定の料金を受け取ることができ、前記サービス提供業者は、レンタルや販売を希望する前記利用者に画像データの外部出力手段としての形態で送付することで、前記外部出力手段を受け取った前記利用者から所定の料金または手数料を受け取ることができ、その結果、前記サービス提供業者は、本発明の画像データベースを活用したビジネス方式によって売上や収益を増大させることが可能になる。
【図面の簡単な説明】
【図１】本発明の画像データベースを活用したビジネス方式の概念図。
【符号の説明】
ＩＮ　　　　インターネット
Ｗ１０　　　Ｗｅｂサーバ
Ｗ１１　　　自社ＷｅｂサイトＳ２０の管理・制御手段
Ｗ１２　　　画像データベースＤ３０の管理・制御手段
Ｗ１３　　　請求サーバＢ４０の管理・制御手段
Ｗ１４　　　画像レンタル・販売サーバＲ５０の管理・制御手段
Ｗ１５　　　画像データ記憶装置Ｍｅの管理・制御手段
Ｗ１６　　　画像データ出力装置Ｐｒの管理・制御手段
Ｗ１７　　　画像データ受信手段
Ｗ１８　　　購入手続フォーマット出力手段
Ｗ１９　　　購入登録手段
Ｗ２０　　　時間データ付加手段
Ｓ２０　　　自社Ｗｅｂサイト
Ｓ２１　　　広告手段
Ｓ２２　　　会員申込手段
Ｓ２３　　　サービス実行手段
Ｓ２４　　　フォーマット入力手段
Ｄ３０　　　画像データベース
Ｄ３１　　　画像データ転送手段
Ｄ３２　　　画像データ蓄積手段
Ｄ３３　　　画像データ転送手段
Ｂ４０　　　請求サーバ
Ｂ４１　　　算出手段
Ｂ４２　　　請求手段
Ｂ４３　　　請求手段
Ｂ４４　　　請求手段
Ｂ４５　　　請求手段
Ｂ４６　　　請求手段
Ｒ５０　　　画像レンタル・販売サーバ
Ｒ５１　　　画像データ転送手段
Ｒ５２　　　画像データ蓄積手段
Ｒ５３　　　画像データ転送手段
Ｍｅ　　　　画像データ記憶装置
Ｍｅ１　　　画像データ外部記憶手段
Ｐｒ　　　　画像データ出力装置
Ｐｒ１　　　画像データ外部出力手段
ＳＣ　　　　サービス提供業者
Ｃａ　　　　カメラ
ＣＨｐ　　　カメラ付き携帯電話
Ｈｐ　　　　携帯電話
Ｐｂ　　　　プロバイダー
ＰＣ　　　　パソコン
Ｍ１　　　　カメラ付き携帯電話を所有し所定の手続きを経た会員
Ｍ２　　　　携帯電話Ｈｐを所有し所定の手続きを経た会員
ＭＲ　　　　パソコンＰＣを所有し自社ＷｅｂサイトＳ２０の閲覧者
【図１】
2004133871.tif 000003